【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
航空機（１０４）を製造するように構成される製造機器（１５０２）、
前記航空機（１０４）の製造を制御するように構成される制御システム（１５０８）、及び
前記制御システム（１５０８）内のオブジェクトマネージャ（１２４）を備え、
前記オブジェクトマネージャ（１２４）が、前記航空機（１０４）のモデル（２１６）を特定し、表示デバイス上のグラフィカルユーザインターフェース（２０８）において前記航空機（１０４）のセクション群（１３６）を表示し、前記表示デバイス上に表示される前記セクション群（１３６）に基づいて、前記製造機器（１５０２）を使用して前記航空機（１０４）の組み立てを管理するように設定され、前記セクション群（１３６）が、前記航空機（１０４）の組み立てのために製造されるセクション群（１３６）に対応しており、前記セクション群（１３６）が、選択可能である、
製造システム（１５００）。
【請求項２】
前記表示デバイス上に表示される前記セクション群（１３６）に基づいて、前記航空機（１０４）の組み立てを管理するように構成されることにより、前記オブジェクトマネージャ（１２４）が、前記表示デバイス上に表示される前記セクション群（１３６）に基づいて、前記航空機（１０４）を組み立てるためのパーツに関連して実行されるタスクを管理するように構成される、請求項１に記載の製造システム（１５００）。
【請求項３】
前記グラフィカルユーザインターフェース（２０８）が、前記航空機（１０４）のビューを縦覧するために座標を使用することなく、前記航空機（１０４）の種々の部分の視覚化のために前記航空機（１０４）のグラフィック表現を表示する、請求項１に記載の製造システム（１５００）。
【請求項４】
前記オブジェクトマネージャ（１２４）が、前記グラフィカルユーザインターフェース（２０８）において表示される前記セクション群（１３６）からのセクション（３０４）の選択を検出し、前記グラフィカルユーザインターフェース（２０８）において表示される前記セクション群（１３６）から選択される前記セクションに対応する前記モデル（２１６）内のボリューム（２１９）を特定し、選択された前記セクションに対して特定された前記モデル（２１６）内の前記ボリューム（２１９）を使用して、前記グラフィカルユーザインターフェース（２０８）における前記セクションを表示するように更に設定されており、前記ボリューム（２１９）が、前記航空機（１０４）のセクション図（２２３）及び前記セクション図（２２３）に対するボリューム識別子群（２２１）から特定される請求項１に記載の製造システム。
【請求項５】
前記ボリューム識別子群（２２１）内のボリューム識別子（２２２）が、前記モデル（２１６）内の前記ボリューム（２１９）を画定する一連の座標（４０６）を含み、前記セクションが、前記ボリューム識別子（２２２）に関連付けられるホットスポット（３０６）を有する、請求項４に記載の製造システム（１５００）。
【請求項６】
前記セクション群（１３６）が分解図で表示される、請求項１に記載の製造システム（１５００）。
【請求項７】
航空機（１０４）を製造する方法であって、前記航空機（１０４）のモデル（２１６）を特定すること（１０００）、
表示デバイス上のグラフィカルユーザインターフェース（２０８）における前記航空機（１０４）のセクション群（１３６）を前記航空機（１０４）に関する視覚情報として表示すること（１００２）、及び
前記表示デバイス上に表示される前記セクション群（１３６）に基づいて、前記航空機（１０４）の組み立てを管理することを含んでおり、
前記セクション群（１３６）が、前記航空機（１０４）の組み立てのために製造されるセクション群（１３６）に対応しており、前記セクション群（１３６）が、選択可能である、方法。
【請求項８】
前記管理するステップが、
前記表示デバイス上に表示される前記セクション群（１３６）に基づいて、前記航空機（１０４）を組み立てるためのパーツに関連して実行されるタスクを管理することを含む、請求項７に記載の方法。
【請求項９】
前記グラフィカルユーザインターフェース（２０８）において表示される前記セクション群（１３６）からのセクション（３０４）の選択を検出すること（１１１２）、
前記グラフィカルユーザインターフェース（２０８）において表示される前記セクション群（１３６）から選択される前記セクションに対応する前記モデル（２１６）内のボリューム（２１９）を特定すること（１０００）、及び
選択された前記セクションに対して特定された前記モデル（２１６）内の前記ボリューム（２１９）を使用して、前記グラフィカルユーザインターフェース（２０８）における前記セクションを表示すること（１００２）
を更に含み、前記ボリューム（２１９）が、前記航空機（１０４）のセクション図（２２３）及び前記セクション図（２２３）に対するボリューム識別子群（２２１）から特定される、請求項７に記載の方法。
【請求項１０】
前記ボリューム識別子群（２２１）内のボリューム識別子（２２２）が、前記モデル（２１６）内の前記ボリューム（２１９）を画定する一連の座標（４０６）を含み、前記セクションが、前記ボリューム識別子（２２２）に関連付けられるホットスポット（３０６）を有する、請求項９に記載の方法。
【請求項１１】
前記セクション群（１３６）が分解図で表示される、請求項７に記載の方法。
【請求項１２】
前記セクション群（１３６）が前記航空機（１０４）のセクション図（２２３）で表示される、請求項７に記載の方法。
【請求項１３】
前記航空機（１０４）の前記モデル（２１６）を特定すること（１０００）が、
製造施設内の一連の建造物群を表示すること（１００２）、及び前記製造施設内の前記一連の建造物群の中の建造物の選択に基づいて、前記航空機（１０４）のための前記モデル（２１６）を特定すること（１０００）を含む、請求項７に記載の方法。
【請求項１４】
前記航空機（１０４）の組み立てのための位置群を表示すること（１００２）、及び
表示された前記位置群から前記航空機（１０４）の位置を選択することに基づいて前記航空機（１０４）の前記セクション群（１３６）を特定すること（１０００）を更に含み、前記位置内の前記航空機（１０４）の前記セクション群（１３６）が、選択された前記位置において製造された前記セクション群（１３６）である、請求項７に記載の方法。
【手続補正２】
【補正対象書類名】明細書
【補正対象項目名】０１７３
【補正方法】変更
【補正の内容】
【０１７３】
種々の例示的な実施形態の説明は、例示及び説明を目的として提示されており、網羅的な説明であること、或いはこれらの実施形態を開示された形態に限定することを意図していない。当業者には、多数の修正例及び変形例が明らかであろう。更に、異なる例示的な実施形態は、他の例示的な実施形態と比べて、異なる特徴を提供することができる。選択された１つ又は複数の実施形態は、実施形態の原理、実際の用途を最もよく説明するため、及び他の当業者に対し、様々な実施形態の開示内容と、考慮される特定の用途に適した様々な修正との理解を促すために選択及び説明されている。
出願人は、下記の条項も本願発明と考えている。
条項１．
航空機（１０４）を製造するように構成される製造機器（１５０２）、
前記航空機（１０４）の製造を制御するように構成される制御システム（１５０８）、及び
前記制御システム（１５０８）内のオブジェクトマネージャ（１２４）を備え、
前記オブジェクトマネージャ（１２４）が、前記航空機（１０４）のモデル（２１６）を特定し、表示デバイス上のグラフィカルユーザインターフェース（２０８）において前記航空機（１０４）のセクション群（１３６）を表示し、前記表示デバイス上に表示される前記セクション群（１３６）に基づいて、前記製造機器（１５０２）を使用して前記航空機（１０４）の組み立てを管理するように設定され、前記セクション群（１３６）が、前記航空機（１０４）の組み立てのために製造されるセクション群（１３６）に対応しており、前記セクション群（１３６）が、選択可能である、
製造システム（１５００）。
条項２．
前記表示デバイス上に表示される前記セクション群（１３６）に基づいて、前記航空機（１０４）の組み立てを管理するように構成されることにより、前記オブジェクトマネージャ（１２４）が、前記表示デバイス上に表示される前記セクション群（１３６）に基づいて、前記航空機（１０４）を組み立てるためのパーツに関連して実行されるタスクを管理するように構成される、条項１に記載の製造システム（１５００）。
条項３．
前記グラフィカルユーザインターフェース（２０８）が、前記航空機（１０４）のビューを縦覧するために座標を使用することなく、前記航空機（１０４）の種々の部分の視覚化のために前記航空機（１０４）のグラフィック表現を表示する、条項１に記載の製造システム（１５００）。
条項４．
前記オブジェクトマネージャ（１２４）が、前記グラフィカルユーザインターフェース（２０８）において表示される前記セクション群（１３６）からのセクション（３０４）の選択を検出し、前記グラフィカルユーザインターフェース（２０８）において表示される前記セクション群（１３６）から選択される前記セクションに対応する前記モデル（２１６）内のボリューム（２１９）を特定し、選択された前記セクションに対して特定された前記モデル（２１６）内の前記ボリューム（２１９）を使用して、前記グラフィカルユーザインターフェース（２０８）における前記セクションを表示するように更に設定されている、条項１に記載の製造システム。
条項５．
前記ボリューム（２１９）が、前記航空機（１０４）のセクション図（２２３）及び前記セクション図（２２３）に対するボリューム識別子群（２２１）から特定される、条項４に記載の製造システム（１５００）。
条項６．
前記ボリューム識別子群（２２１）内のボリューム識別子（２２２）が、前記モデル（２１６）内の前記ボリューム（２１９）を画定する一連の座標（４０６）を含む、条項５に記載の製造システム（１５００）。
条項７．
前記セクションが、前記ボリューム識別子（２２２）に関連付けられるホットスポット（３０６）を有する、条項６に記載の製造システム（１５００）。
条項８．
前記セクション群（１３６）が分解図で表示される、条項１に記載の製造システム（１５００）。
条項９．
航空機（１０４）を製造する方法であって、前記航空機（１０４）のモデル（２１６）を特定すること（１０００）、
表示デバイス上のグラフィカルユーザインターフェース（２０８）における前記航空機（１０４）のセクション群（１３６）を前記航空機（１０４）に関する視覚情報として表示すること（１００２）、及び
前記表示デバイス上に表示される前記セクション群（１３６）に基づいて、前記航空機（１０４）の組み立てを管理することを含んでおり、
前記セクション群（１３６）が、前記航空機（１０４）の組み立てのために製造されるセクション群（１３６）に対応しており、前記セクション群（１３６）が、選択可能である、方法。
条項１０．
前記管理するステップが、
前記表示デバイス上に表示される前記セクション群（１３６）に基づいて、前記航空機（１０４）を組み立てるためのパーツに関連して実行されるタスクを管理することを含む、条項９に記載の方法。
条項１１．
前記グラフィカルユーザインターフェース（２０８）において表示される前記セクション群（１３６）からのセクション（３０４）の選択を検出すること（１１１２）、
前記グラフィカルユーザインターフェース（２０８）において表示される前記セクション群（１３６）から選択される前記セクションに対応する前記モデル（２１６）内のボリューム（２１９）を特定すること（１０００）、及び
選択された前記セクションに対して特定された前記モデル（２１６）内の前記ボリューム（２１９）を使用して、前記グラフィカルユーザインターフェース（２０８）における前記セクションを表示すること（１００２）
を更に含む、条項９に記載の方法。
条項１２．
前記ボリューム（２１９）が、前記航空機（１０４）のセクション図（２２３）及び前記セクション図（２２３）に対するボリューム識別子群（２２１）から特定される、条項１１に記載の方法。
条項１３．
前記ボリューム識別子群（２２１）内のボリューム識別子（２２２）が、前記モデル（２１６）内の前記ボリューム（２１９）を画定する一連の座標（４０６）を含む、条項１２に記載の方法。
条項１４．
前記セクションが、前記ボリューム識別子（２２２）に関連付けられるホットスポット（３０６）を有する、条項１３に記載の方法。
条項１５．
前記セクション群（１３６）が分解図で表示される、条項９に記載の方法。
条項１６．
前記セクション群（１３６）が前記航空機（１０４）のセクション図（２２３）で表示される、条項９に記載の方法。
条項１７．
前記航空機（１０４）の前記モデル（２１６）を特定すること（１０００）が、
製造施設内の一連の建造物群を表示すること（１００２）、及び前記製造施設内の前記一連の建造物群の中の建造物の選択に基づいて、前記航空機（１０４）のための前記モデル（２１６）を特定すること（１０００）を含む、条項９に記載の方法。
条項１８．
前記航空機（１０４）の組み立てのための位置群を表示すること（１００２）、及び
表示された前記位置群から前記航空機（１０４）の位置を選択することに基づいて前記航空機（１０４）の前記セクション群（１３６）を特定すること（１０００）を更に含む、条項９に記載の方法。
条項１９．
前記位置内の前記航空機（１０４）の前記セクション群（１３６）が、選択された前記位置において製造された前記セクション群（１３６）である、条項１８に記載の方法。